(57)【特許請求の範囲】
【請求項１】
節電モード移行指示に応答して、現在使用されていない不要部分への電源供給が断とされる節電モードに移行するよう制御する制御手段を含む携帯電話機であって、
当該携帯電話機の動きを検出する検出手段を含み、
前記制御手段は、前記節電モードにあるとき前記検出手段により検出された当該携帯電話機の動きに応じて前記節電モードを解除するよう制御し、
前記検出手段は振動を検出する振動センサであり、
前記制御手段は、前記振動センサにより検出された振動の周期が予め定められた周期と等しい場合に、前記節電モードを解除するようにしたことを特徴とする携帯電話機。
【請求項２】
各種情報を表示する表示手段を含み、前記節電モード時には少なくとも前記表示手段への電源供給が断とされることを特徴とする請求項１記載の携帯電話機。
【請求項３】
前記節電モード移行指示は、前記節電モードが解除されている状態が所定時間続いた場合に前記制御手段に供給されることを特徴とする請求項１又は２記載の携帯電話機。
【請求項４】
携帯電話機の動きを検出する検出手段を含む携帯電話機の制御方法であって、
節電モード移行指示に応答して、現在使用されていない不要部分への電源供給が断とされる節電モードに移行するよう制御する移行制御ステップと、前記節電モードにあるとき前記検出手段により検出された当該携帯電話機の動きに応じて前記節電モードを解除するよう制御する解除制御ステップとを含み、
前記検出手段は振動を検出する振動センサであり、
前記解除制御ステップは、前記振動センサにより検出された振動の周期が予め定められた周期と等しい場合に、前記節電モードを解除するようにしたことを特徴とする制御方法。
【請求項５】
携帯電話機の動きを検出する検出手段を含む携帯電話機の制御方法をコンピュータに実行させるためのプログラムであって、
節電モード移行指示に応答して、現在使用されていない不要部分への電源供給が断とされる節電モードに移行するよう制御する移行制御ステップと、前記節電モードにあるとき前記検出手段により検出された当該携帯電話機の動きに応じて前記節電モードを解除するよう制御する解除制御ステップとを含み、
前記検出手段は振動を検出する振動センサであり、
前記解除制御ステップは、前記振動センサにより検出された振動の周期が予め定められた周期と等しい場合に、前記節電モードを解除するようにしたことを特徴とするプログラム。
【発明の詳細な説明】
【０００１】
【発明の属する技術分野】
本発明は携帯電話機及びその制御方法並びにプログラムに関し、特に節電モードを有する携帯電話機及びその制御方法並びにプログラムに関する。
【０００２】
【従来の技術】
電池の消費を低減して待ち受け時間や通話時間を長くすることを目的とした従来の携帯電話機の一例が、特開２００１−１１９４７６号公報に記載されている。上記公報に記載の携帯電話機は、人体が筐体に接触していることを検出する接触センサを備えており、このセンサを使用することにより人体が筐体に接触していないと判断されるとき、すなわち、携帯電話機がポケットやバッグに入れられているときには、節電モードに移行し表示部等への電源供給を停止するようにしている。これにより、電源消費を低減することができ、待ち受け時間や通話時間の延長が図られる。
【０００３】
【発明が解決しようとする課題】
上記公報には、接触センサとして、筐体に配設された２本の導体からなりこれ等２本の導体に使用者の手が同時に触れたときに導体間を流れる電流を感知するもの、使用者が電話機を手に持ったときにちょうど手が触れる位置に設けられるボタンスイッチ、または、筐体を把持しているときの圧力を感知する圧力センサを用いることが記載されている。
【０００４】
しかしながら、このような接触センサを備えた上記公報に記載の携帯電話機では、使用者が手袋をしている場合や携帯電話機がケースに入れられている場合に、使用者が携帯電話機を手に持っていることを接触センサが感知できないため、このような場合には使用者が携帯電話機を手に持っていたとしても、節電モードから通常モードへの移行（節電モードの解除）が行われないという問題がある。
【０００５】
本発明の目的は、使用者が望むときに速やかに節電モードから通常モードへ移行することができる携帯電話機及びその制御方法並びにプログラムを提供することである。
【０００６】
【課題を解決するための手段】
本発明による携帯電話機は、節電モード移行指示に応答して、現在使用されていない不要部分への電源供給が断とされる節電モードに移行するよう制御する制御手段を含む携帯電話機であって、当該携帯電話機の動きを検出する検出手段を含み、前記制御手段は、前記節電モードにあるとき前記検出手段により検出された当該携帯電話機の動きに応じて前記節電モードを解除するよう制御し、前記検出手段は振動を検出する振動センサであり、前記制御手段は、前記振動センサにより検出された振動の周期が予め定められた周期と等しい場合に、前記節電モードを解除するようにしたことを特徴とする。
【００１０】
本発明による制御方法は、携帯電話機の動きを検出する検出手段を含む携帯電話機の制御方法であって、節電モード移行指示に応答して、現在使用されていない不要部分への電源供給が断とされる節電モードに移行するよう制御する移行制御ステップと、前記節電モードにあるとき前記検出手段により検出された当該携帯電話機の動きに応じて前記節電モードを解除するよう制御する解除制御ステップとを含み、前記検出手段は振動を検出する振動センサであり、前記解除制御ステップは、前記振動センサにより検出された振動の周期が予め定められた周期と等しい場合に、前記節電モードを解除するようにしたことを特徴とする。
【００１２】
本発明によるプログラムは、携帯電話機の動きを検出する検出手段を含む携帯電話機の制御方法をコンピュータに実行させるためのプログラムであって、節電モード移行指示に応答して、現在使用されていない不要部分への電源供給が断とされる節電モードに移行するよう制御する移行制御ステップと、前記節電モードにあるとき前記検出手段により検出された当該携帯電話機の動きに応じて前記節電モードを解除するよう制御する解除制御ステップとを含み、前記検出手段は振動を検出する振動センサであり、前記解除制御ステップは、前記振動センサにより検出された振動の周期が予め定められた周期と等しい場合に、前記節電モードを解除するようにしたことを特徴とする。
【００１４】
本発明の作用は次の通りである。携帯電話機に当該携帯電話機の動きを検出する検出手段を設け、制御手段は、携帯電話機の動作モードが現在使用されていない不要部分への電源供給が断とされる節電モードにあるとき、検出手段により検出された当該携帯電話機の動きに応じて節電モードを解除する。すなわち、制御手段は、検出手段により検出された当該携帯電話機の動きが所定の特徴を備えている場合に、節電モードを解除して動作モードが通常モードに移行するよう制御する。これにより、使用者が手袋をしていたり携帯電話機がケースに入れられている場合であっても、使用者が携帯電話機を例えば所定のリズムで振れば、制御手段は使用者が携帯電話機を手に持っていると認識できるので、速やかに節電モードから通常モードへの移行がなされる。
【００１５】
【発明の実施の形態】
以下に、本発明の実施例について図面を用いて説明する。図１は本発明の実施例による携帯電話機の構成を示す図である。図１において、本発明の実施例による携帯電話機１は、アンテナ１０と、送信部１１と、受信部１２と、操作キー部１３と、振動センサ１４と、制御部１５と、メモリ１６と、タイマ１７と、電源制御部１８と、表示制御部１９と、表示部２０と、送話器２１と、受話器２２とを有している。
【００１６】
送信部１１は、制御部１５からのダイヤル信号や送話器２１からの送話信号等の各種信号をアンテナ１０を介して送信する。受信部１２は、アンテナ１０を介して受信した発呼信号を制御部１５に送出し、また受話信号を受話器２２に送出する。操作キー部１３は、使用者がダイヤル番号等を入力するためのものである。
【００１７】
振動センサ１４は、携帯電話機に加えられた振動を検出し、この振動に対応する電気信号を制御部１５に送出する。制御部１５は、メモリ１６に記録されたプログラムを実行して各部を制御する。また、制御部１５は、携帯電話機１の動作モードが節電モード（省電力モード）にあるとき振動センサ１４により検出された振動に応じて節電モードを解除し、動作モードを通常モードとする。
【００１８】
すなわち、制御部１５は、動作モードが節電モードにあるとき振動センサ１４により検出された振動が予め定められた特徴を備えている場合に、節電モードを解除する。ここで、メモリ１６には、制御部１５により実行されるプログラムや相手先の電話番号等が記録されると共に、振動センサ１４により検出された振動のパターンと比較される所定の振動パターンが予め記録されている。メモリ１６に記録されている所定の振動パターンは、例えば振動の周期である。これは使用者によりメモリ１６に登録可能である。
【００１９】
この場合、制御部１５は、振動センサ１４により検出された振動の周期がメモリ１６に記録されている所定の振動周期と等しいときに、節電モードを解除する。
【００２０】
タイマ１７は、制御部１５からの指示に従って所定の時間を計時する。電源制御部１８は、制御部１５の制御に応じて図示せぬ電池等からの電源を各部に供給する。表示制御部１９は、圏内外表示や送受信時のダイヤル番号等を表示部２０に表示させる表示制御を行う。表示部２０はＬＣＤ（Liquid Crystal Display）等である。
【００２１】
送話器２１は、使用者の音声信号を送話信号に変換して送信部１１に送出する。受話器２２は、受信部１２で受信された受話信号を音声信号に変換して外部に送出する。
【００２２】
図２は図１に示した携帯電話機の動作を示すフローチャートである。図２においては携帯電話機１の通常モード及び節電モードの遷移方法について示している。
【００２３】
図１及び２において、まず、制御部１５は、操作キー部１３から電源オン信号が入力されると、電源制御部１８を制御して携帯電話機１本体の電源をオンとし、動作モードを通常モードに設定し、通常モードで各部の制御を開始する（ステップＳ１）。
【００２４】
その後、制御部１５は、動作モードを通常モードから節電モードへ移行させるためのタイマ１７に対して所定の時間を計時するよう指示を出す。これにより、タイマ１７は計時を開始する（ステップＳ２）。次に、タイマ１７が上記所定時間を計時して満了しているか否かが判断される（ステップＳ３）。
【００２５】
制御部１５はタイマ１７が満了したと判断すると、すなわち、タイマ１７から制御部１５にタイマ満了した旨の通知（節電モード移行指示）が入力されると（ステップＳ３，Ｙｅｓ）、制御部１５は、動作モードを通常モードから節電モードに移行し（ステップＳ４）、電源制御部１８を制御して少なくとも現在使用されていない不要部分、例えば表示部２０等への電源供給を断とする。
【００２６】
制御部１５は節電モードに移行した後、振動センサ１４に対して振動検出の開始を通知する。振動センサ１４は、携帯電話機１に加えられた振動を感知すると、その振動に対応する電気信号を制御部１５に送出する。
【００２７】
制御部１５は、携帯電話機１に所定の振動が加えられたか否かを判断する（ステップＳ５）。すなわち、制御部１５は、振動センサ１４からの電気信号に基づいて、携帯電話機１に加えられた振動がメモリ１６に予め登録されている振動パターン（振動の特徴、例えば周期）を備えているか否かを判断する（ステップＳ５）。
【００２８】
携帯電話機１に加えられた振動が所定の特徴を備えていると判断した場合、すなわち使用者があらかじめ登録されているリズムで携帯電話機１を振った場合（ステップＳ５，Ｙｅｓ）、制御部１５は、節電モードを解除して動作モードを通常モードに移行し（ステップＳ１）、電源制御部１８を制御してステップＳ４で電源供給を断とされた部分（例えば表示部２０等）に電源を供給する。
【００２９】
このように、本発明では、携帯電話機１に振動センサ１４を設け、振動センサ１４により検出される携帯電話機１に加えられた振動に応じて節電モードから通常モードに移行するようにしている。したがって、使用者が手袋をしていたり携帯電話機１がケースに入れられている場合でも、使用者が携帯電話機１に所定の振動を加えるのみで、節電モードを解除することができる。よって、使用者が望むときに速やかに節電モードから通常モードに移行させることができる。
【００３０】
なお、上記図２に示したフローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００３１】
また、図１に示した携帯電話機１は振動センサ１４を備えているが、これに限定されるものではなく、振動センサ１４に代えて例えば携帯電話機１の加速度を検出する加速度センサを設けるようにしてもよい。この場合、制御部１５は、動作モードが節電モードにあるとき加速度センサにより検出された加速度に応じて節電モードを解除することになる。
【００３２】
具体的には、メモリ１６に予め所定の加速度を記憶させておき、制御部１５は、加速度センサにより検出された加速度がメモリ１６に記憶されている加速度と等しい場合に、節電モードを解除する。これによっても、図１に示した携帯電話機と同様の効果を得ることができることは明らかである。
【００３３】
【発明の効果】
本発明による効果は、使用者が望むときに速やかに節電モードから通常モードへ移行することができることである。その理由は、携帯電話機の動きを検出する検出手段（例えば、振動を検出する振動センサ）を設け、これにより検出された当該携帯電話機の動き（振動）に応じて節電モードから通常モードへ移行するようにしたためであり、これにより、使用者が手袋をしていたり当該携帯電話機がケースに入れられている場合でも、手袋を外したりケースから当該携帯電話機を出すことなく、節電モードから通常モードへの移行をなすことができるためである。
【図面の簡単な説明】
【図１】本発明の実施例による携帯電話機の構成を示す図である。
【図２】図１に示した携帯電話機の動作を示すフローチャートである。
【符号の説明】
１    携帯電話機
１０    アンテナ
１１    送信部
１２    受信部
１３    操作キー部
１４    振動センサ
１５    制御部
１６    メモリ
１７    タイマ
１８    電源制御部
１９    表示制御部
２０    表示部
２１    送話部
２２    受話部
【図１】
0003757175.tif 000002
【図２】
0003757175.tif 000003